(57)【要約】【課題】突然避難しなければならない状況下でも、非常用具を咄嗟に持ち出すことができるような収納ボックスを提供すること。【解決手段】本発明は、壁面に取り付けられる収納ボックス１であって、背面部２と、背面部２の前面に設けられた前面部３と、背面部２の下部で、背面部２と前面部３とを回動可能に取り付ける回動部４と、背面部２の一部と前面部３の一部とを着脱可能にする着脱部５とを備える。前面部３は、地震時に、少なくとも一方向に振動可能なように、回動部４に取り付けられている。【選択図】図２
2011067566.tif 000002
【特許請求の範囲】
【請求項１】
壁面に取り付けられる収納ボックスであって、
背面部と、
前記背面部の前面に設けられた前面部と、
前記背面部の下部で、前記背面部と前記前面部とを回動可能に取り付ける回動部と、
前記背面部の一部と前記前面部の一部とを着脱可能にする着脱部とを備え、
前記前面部は、地震時に、少なくとも一方向に振動可能なように、前記回動部に取り付けられていることを特徴とする、収納ボックス。
【請求項２】
前記回動部は、
前記前面部の両側面に設けられた二つの軸受け孔と、
前記背面部に設けられ、前記二つの軸受け孔に挿入される二本の軸とを含み、
前記二本の軸の根本部分から前記二つの軸受け孔まで、間隙が設けられていることを特徴とする、請求項１に記載の収納ボックス。
【請求項３】
前記回動部は、
前記前面部の両側面に設けられた二つの軸受け孔と、
前記背面部に設けられ、前記二つの軸受け孔に挿入される二本の軸とを含み、
前記二つの軸受け孔は、前記二本の軸が少なくとも上下にスライド可能に、前記二本の軸の外径よりも大きいことを特徴とする、請求項１に記載の収納ボックス。
【請求項４】
前記二本の軸の根本部分から前記二つの軸受け孔まで、間隙が設けられていることを特徴とする、請求項３に記載の収納ボックス。
【請求項５】
前記回動部は、
前記背面部の両側面に設けられた二つの軸受け孔と、
前記前面部に設けられ、前記二つの軸受け孔に挿入される二本の軸とを含み、
前記二本の軸の根本部分から前記二つの軸受け孔まで、間隙が設けられていることを特徴とする、請求項１に記載の収納ボックス。
【請求項６】
前記回動部は、
前記背面部の両側面に設けられた二つの軸受け孔と、
前記前面部に設けられ、前記二つの軸受け孔に挿入される二本の軸とを含み、
前記二つの軸受け孔は、前記二本の軸が少なくとも上下にスライド可能に、前記二本の軸の外径よりも大きいことを特徴とする、請求項１に記載の収納ボックス。
【請求項７】
前記二本の軸の根本部分から前記二つの軸受け孔まで、間隙が設けられていることを特徴とする、請求項６に記載の収納ボックス。
【請求項８】
前記着脱部は、前記背面部及び前記前面部を磁力で接続することを特徴とする、請求項１〜７のいずれかに記載の収納ボックス。
【請求項９】
前記磁力は、所定の震度以上の地震が発生した際、前記背面部と前記前面部とが離れる程度の強さであることを特徴とする、請求項８に記載の収納ボックス。
【請求項１０】
前記前面部は、取っ手部を有することを特徴とする、請求項１〜９のいずれかに記載の収納ボックス。
【請求項１１】
前記前面部に前記二本の軸が設けられている場合、
前記前面部は、底部を含み、
前記底部は、物品を仮止めするための仮止め部を有することを特徴とする、請求項５〜１０のいずれかに記載の収納ボックス。
【請求項１２】
前記底部は、二枚の底板であり、
前記仮止め部は、前記二枚の底板の間に設けられていることを特徴とする、請求項１１に記載の収納ボックス。
【請求項１３】
前記二枚の底板の内、前記前面部の回動時に下方に位置する底板は、角が丸められていることを特徴とする、請求項１２に記載の収納ボックス。
【請求項１４】
前記背面部に前記二本の軸が設けられている場合、
前記背面部は、物品を仮止めするための仮止め部を有することを特徴とする、請求項１〜４又は８〜１０のいずれかに記載の収納ボックス。
【請求項１５】
前記仮止め部は、面ファスナーであることを特徴とする、請求項１１〜１４のいずれかに記載の収納ボックス。
【請求項１６】
前記背面部に前記二本の軸が設けられている場合、
前記前面部は、回動前及び回動後の両時点で前記背面部の一部を露出させる露出部を有し、
前記背面部は、前記露出部から露出する位置に蓄光処理を施していることを特徴とする、請求項１〜４、８〜１０、又は請求項１４〜１５のいずれかに記載の収納ボックス。
【請求項１７】
前記前面部は、前記二本の軸を中心とする回動軸近辺を欠くことによって、前記露出部を形成していることを特徴とする、請求項１６に記載の収納ボックス。
【請求項１８】
外部から視認可能な部分の少なくとも一部に、蓄光処理が施されていることを特徴とする、請求項１〜１５のいずれかに記載の収納ボックス。
【請求項１９】
面ファスナーで壁面に固定されることを特徴とする、請求項１〜１８のいずれかに記載の収納ボックス。
【請求項２０】
壁面に取り付けられる収納ボックスであって、
背面部と、
前記背面部の前面に設けられた前面部と、
前記背面部の下部で、前記背面部と前記前面部とを回動可能に取り付ける回動部と、
前記背面部の一部と前記前面部の一部とを着脱可能にする着脱部とを備え、
前記着脱部は、電動式によって、前記前面部と前記背面部との開閉をロックすることを特徴とする、収納ボックス。
【請求項２１】
前記着脱部は、有線通信又は無線通信によって、外部から制御されて、ロックを解除することを特徴とする、請求項２０に記載の収納ボックス。
【請求項２２】
前記着脱部は、地震が発生したか否かを加速度センサで検知して、地震が発生した場合、ロックを解除することを特徴とする、請求項２０又は２１に記載の収納ボックス。
【発明の詳細な説明】
【技術分野】
【０００１】
本発明は、物品を収納するための収納ボックスに関し、より特定的には、地震時や火災時などの非常時に必要な非常用具を収納するための収納ボックスに関する。
【背景技術】
【０００２】
従来、地震時や火災時などの非常時に必要な非常用具を収納するための収納ボックスとして、特許文献１に記載の壁埋め込み収納ボックスが知られている。
【先行技術文献】
【特許文献】
【０００３】
【特許文献１】特開２００８−６３９３４号公報
【発明の概要】
【発明が解決しようとする課題】
【０００４】
非常用具を押し入れやクローゼット、たんすなどに収納しておくと、突然避難しなければならない状況下では、非常用具を取り出すことが難しく、結局、非常用具が活用されないこととなる。
【０００５】
それゆえ、本発明は、突然避難しなければならない状況下でも、非常用具を咄嗟に持ち出すことができるような収納ボックスを提供することを目的とする。
【課題を解決するための手段】
【０００６】
上記課題を解決するために、本発明は、以下のような特徴を有する。本発明は、壁面に取り付けられる収納ボックスであって、背面部と、背面部の前面に設けられた前面部と、背面部の下部で、背面部と前面部とを回動可能に取り付ける回動部と、背面部の一部と前面部の一部とを着脱可能にする着脱部とを備える。前面部は、地震時に、少なくとも一方向に振動可能なように、回動部に取り付けられている。
【０００７】
好ましくは、回動部は、前面部の両側面に設けられた二つの軸受け孔と、背面部に設けられ、二つの軸受け孔に挿入される二本の軸とを含み、二本の軸の根本部分から二つの軸受け孔まで、間隙が設けられていると良い。
【０００８】
好ましくは、回動部は、前面部の両側面に設けられた二つの軸受け孔と、背面部に設けられ、二つの軸受け孔に挿入される二本の軸とを含み、二つの軸受け孔は、二本の軸が少なくとも上下にスライド可能に、二本の軸の外径よりも大きいと良い。
【０００９】
好ましくは、二本の軸の根本部分から二つの軸受け孔まで、間隙が設けられていると良い。
【００１０】
好ましくは、回動部は、背面部の両側面に設けられた二つの軸受け孔と、前面部に設けられ、二つの軸受け孔に挿入される二本の軸とを含み、二本の軸の根本部分から二つの軸受け孔まで、間隙が設けられていると良い。
【００１１】
好ましくは、回動部は、背面部の両側面に設けられた二つの軸受け孔と、前面部に設けられ、二つの軸受け孔に挿入される二本の軸とを含み、二つの軸受け孔は、二本の軸が少なくとも上下にスライド可能に、二本の軸の外径よりも大きいと良い。
【００１２】
好ましくは、二本の軸の根本部分から二つの軸受け孔まで、間隙が設けられていると良い。
【００１３】
好ましくは、着脱部は、背面部及び前面部を磁力で接続すると良い。
【００１４】
好ましくは、磁力は、所定の震度以上の地震が発生した際、背面部と前面部とが離れる程度の強さであると良い。
【００１５】
好ましくは、前面部は、取っ手部を有すると良い。
【００１６】
好ましくは、前面部に前記二本の軸が設けられている場合、前面部は、底部を含み、底部は、物品を仮止めするための仮止め部を有すると良い。
【００１７】
好ましくは、底部は、二枚の底板であり、仮止め部は、二枚の底板の間に設けられていると良い。
【００１８】
好ましくは、二枚の底板の内、前面部の回動時に下方に位置する底板は、角が丸められていると良い。
【００１９】
好ましくは、背面部に二本の軸が設けられている場合、背面部は、物品を仮止めするための仮止め部を有すると良い。
【００２０】
好ましくは、仮止め部は、面ファスナーであると良い。
【００２１】
好ましくは、背面部に二本の軸が設けられている場合、前面部は、回動前及び回動後の両時点で背面部の一部を露出させる露出部を有し、背面部は、露出部から露出する位置に蓄光処理を施していると良い。
【００２２】
好ましくは、前面部は、二本の軸を中心とする回動軸近辺を欠くことによって、露出部を形成していると良い。
【００２３】
好ましくは、外部から視認可能な部分の少なくとも一部に、蓄光処理が施されていると良い。
【００２４】
好ましくは、収納ボックスは、面ファスナーで壁面に固定されると良い。
【００２５】
また、本発明は、壁面に取り付けられる収納ボックスであって、背面部と、背面部の前面に設けられた前面部と、背面部の下部で、背面部と前面部とを回動可能に取り付ける回動部と、背面部の一部と前面部の一部とを着脱可能にする着脱部とを備え、着脱部は、電動式によって、前面部と背面部との開閉をロックする。
【００２６】
好ましくは、着脱部は、有線通信又は無線通信によって、外部から制御されて、ロックを解除すると良い。
【００２７】
好ましくは、着脱部は、地震が発生したか否かを加速度センサで検知して、地震が発生した場合、ロックを解除すると良い。
【発明の効果】
【００２８】
本発明によれば、地震時に前面部が振動するので、振動の際に生じる衝撃によって、着脱部による背面部と前面部との着脱が解除される。前面部は、背面部に回動可能に固定されているので、着脱が解除されることによって、前面部が回転する。これにより、収納ボックスに収納されている物品が自動的に出現することとなる。よって、突然避難しなければならない状況下でも、非常用具を咄嗟に持ち出すことができるような収納ボックスが提供されることとなる。
【００２９】
軸と軸受け孔とを用いる簡易な構成で、回動部を提供することができ、収納ボックスのコストは軽減される。さらに、軸の根本部分から軸受け孔までの間に間隙が設けられることによって、前面部の左右動が可能となり、地震時に、前面部を振動させることができる。
【００３０】
軸受け孔を大きめにすることで、軸を上下にスライドさせることができる。これにより、前面部の上下動が可能となり、地震時に、前面部を振動させることができる。
【００３１】
磁力で着脱部を構成するとう簡易な構成を採用すれば、収納ボックスのコストは軽減される。特に、この磁力は、地震で前面部が開く程度の強さであると良い。
【００３２】
前面部に取っ手部を設けることによって、地震が発生しない火災などの状況でも、簡単に前面部を開けることができる。
【００３３】
仮止め部によって、物品が仮止めされる。これにより、蓋が開いたら、物品が下に落ちることなく出現することとなる。仮止め部から、物品を取り外して、素早く避難することが可能となる。
【００３４】
底部を二枚底板構造にすることによって、仮止め部を隠すことが可能となる。特に、仮止め部として面ファスナーを用いれば、簡易な構成で、仮止めを実現することができる。二枚底板構造の場合、前面部の回動時に下方に位置する底板は、角が丸められていると良い。これにより、収納袋が仮止めされている状況でも、角に収納袋が引っかかることなく、素早く取り外しすることができる。
【００３５】
蓄光処理によって、非常用具の位置を暗闇でも確認することが可能となる。
【００３６】
例えば、前面部に露出部を設けて、背面部に蓄光処理を施しておき、回動前後で、蓄光処理が施されている部分が露出するようにすれば、一つの蓄光処理部で、回動前後の位置を確認することができる。これにより、コスト低減に加え、普段から確認している収納ボックスの位置を、災害時にも、変わることなく確認することができる。
【００３７】
収納ボックスを面ファスナーで壁面に固定すれば、簡単な工事で、収納ボックスの取付が可能となる。
【００３８】
前面部のロックを電動式で制御することによって、収納ボックスを、カラオケボックスや、病院、ホテルなど、公衆が出入りする施設に設置して、災害時に、収納ボックスに収納されている物品を用いて、避難を促すことができる。災害時以外は、ロックされているので、物品が勝手に持ち出されることが防止される。ロックを有線通信又は無線通信で制御すれば、災害時のみ、ロックを解除することができる。加速度センサによって、地震発生を検知して、自動的にロックを解除するようにすれば、物品の勝手な持ち出しを防止できると共に、地震時のみに、ロックを解除することができる。
【００３９】
本発明のこれらおよび他の目的、特徴、局面、効果は、添付図面と照合して、以下の詳細な説明から一層明らかになるであろう。
【図面の簡単な説明】
【００４０】
【図１】図１は、本発明の第１の実施形態に係る収納ボックス１の斜視図である。
【図２】図２は、収納ボックス１の前面部３を開いたときの様子を示す斜視図である。
【図３】図３は、収納ボックス１の分解斜視図である。
【図４】図４は、図１におけるＡ−Ａ面での部分端面図である。
【図５】図５は、図１におけるＢ−Ｂ面での部分端面図である。
【図６】図６は、収納ボックス１の使用例を示す図である。
【図７】図７は、軸受け孔４ｂの他の例を示す図である。
【図８】図８は、本発明の第２の実施形態に係る収納ボックス１０の斜視図である。
【図９】図９は、収納ボックス１０の前面部１３を開いたときの様子を示す斜視図である。
【図１０】図１０は、収納ボックス１０の分解斜視図である。
【図１１】図１１は、収納ボックス１０の使用例を示す図である。
【図１２】図１２は、本発明の第３の実施形態に係る収納ボックス１０ａの前面部１３を開いたときの様子を示す斜視図
【発明を実施するための形態】
【００４１】
（第１の実施形態）
図１は、本発明の第１の実施形態に係る収納ボックス１の斜視図である。図２は、収納ボックス１の前面部３を開いたときの様子を示す斜視図である。図３は、収納ボックス１の分解斜視図である。図４は、図１におけるＡ−Ａ面での部分端面図である。図５は、図１におけるＢ−Ｂ面での部分端面図である。
【００４２】
図１に示すように、収納ボックス１は、背面部２と、前面部３と、回動部４と、着脱部５とを備える。背面部２は、壁面にビスや接着剤、強力磁石、吸盤、面ファスナーなどで固定される。なお、背面部２の一部は、壁面に埋め込まれても良い（ただし、前面部１３が回動可能なように、前面部１３の奥行き幅は調整される）。前面部３は、背面部２の前面に設けられている。回動部４は、背面部２の下部で、背面部２と前面部３とを回動可能に取り付ける。回動部４は、それぞれ、背面部２の両側面に設けられた軸受け孔４ｂと、前面部３に取り付けられた軸４ａとを含む。軸４ａの先端には、フランジ部４ｃが設けられている。軸受け孔４ｂは、軸４ａが上下にスライド可能なように、軸４ａの外径よりも大きい孔である。なお、軸受け孔４ａは、軸４ｂが前後にスライド可能な大きさであっても良い。着脱部５は、前面部３に設けられた磁石（又は金属）５ａと、背面部２に設けられた金属（又は磁石）５ｂとを含む。これにより、着脱部５は、背面部２の一部と前面部３の一部とを着脱可能に接続する。前面部３は、下部に、取っ手部６を含む。
【００４３】
図２及び図３に示すように、前面部３は、第１の底板３ｃと第２の底板３ｄとを有する底部を含む。第１の底板３ｃと第２の底板３ｄとの間には、面ファスナー３ｅ，３ｆが設けられている。前面部３は、軸４ａを固定するための内蓋部３ｂと、内蓋部３ｂと背面部２との間の間隙Ｓ（図４及び図５参照）を隠すための外蓋部３ａとを含む。第１及び第２の底板３ｃ，３ｄの内、前面部３の回動時に下方に位置する第１の底板３ｃは、角が丸められている。
【００４４】
図４及び図５に示すように、内蓋部３ｂと外枠２の両側面との間には、間隙Ｓが設けられている。すなわち、内蓋部３ｂの外寸は、外枠２の内寸よりも小さい。なお、図示は省略するが、外枠２の上面と内蓋３ｂの上辺部との間にも、間隙が設けている。さらに、磁石５ａと金属５ｂとは、一部分のみが接続されている。ただし、磁石５ａと金属５ｂとの接続面積は、適宜決定される事項であって、一部ではなく全部でも良い。もし、地震が発生すると、内蓋部３ｂと外枠２との間に間隙が設けられているので、前面部３は、図１に示す矢印Ｓ１や図４及び図５に示す矢印Ｓ２の方向に、上下及び／又は左右に振動する。これにより、磁石５ａと金属５ｂとの間の接続が離れ、図２に示すように、前面部３が自身の重さで開くこととなる。
【００４５】
図６は、収納ボックス１の使用例を示す図である。帯状部７ａに取り付けられた少なくとも一つの袋部７ｂを備える収納袋７は、帯状部７ａの一部に面ファスナー７ｃを含む。袋部７ｂには、懐中電灯や消化器、軍手、地図、貴重品など、災害時等に必要な物品が収容される。面ファスナー７ｃが面ファスナー３ｅ又は３ｆに取り付けられる。収納袋７が底部に仮止めした状態で、前面部３を回動させて、磁石５ａと金属５ｂとを結合して、前面部３が背面部２に接合される。地震が発生すると、前面部３は、上下及び／又は左右に振動する。振動が大きくなると、着脱部５の着脱が離れ、前面部３が回動して開くこととなる。このとき、図６に示すように、収納袋７は、第１の底板３ｅからぶら下がる状態となる。このように、地震が発生して咄嗟に避難しなければならない場合、自動的に、前面部３が開いて、非常用具や貴重品などが収納されている収納袋７が出現することとなる。収納ボックス１を玄関や窓際などに取り付けておけば、地震発生時に、あわてることなく、収納袋７を持ち出して避難することができる。なお、火災時など、揺れが発生しない場合、取っ手部６を摘んで前面部３を開ければ、図６に示すような状態となるので、簡単に収納袋７を持ち出すことができる。また、収納ボックス１に消化器などを常備しておき、収納ボックス１を台所の近くに設置しておけば、万が一のとき、消化器をすぐに取り出すことができ、初期消火の推進にもつながる。
【００４６】
なお、前面部３は、地震時に、少なくとも一方向に振動すれば、自動的に開くこととなるので、上記実施形態の内、内蓋部３ｂと背面部２との間の間隙Ｓか、又は、大きめの軸受け孔４ｂのどちらかが設けられていれば良い。また、前面部３を地震時に少なくとも一方向に振動する構造としては、その他、あらゆる構造が採用できる。
【００４７】
なお、回動部４の構造は、上記に限られるものではなく、回動部４は、背面部２に前面部３を回動可能に取り付けるのであれば、あらゆる構造を採用しても良い。図７は、軸受け孔４ｂの他の例を示す図である。図７に示すように、軸受け孔４ｂを上下左右に大きめにすれば、前面部３を上下左右等に振動させることができる。軸受け孔４ｂは、たとえば、図７に示すような卵形の形状であっても良いが、これに限定されるものではない。
【００４８】
なお、内蓋部３ｂは、必須構成ではない。二本の軸４ａと二つの軸受け孔４ｂとを用いる場合、内蓋部３ｂが無くても、二本の軸４ａの根本部分から二つの軸受け孔４ｂまで、間隙Ｓが設けられていれば良く、間隙Ｓが設けられるように、二本の軸４ａが前面部３に取り付けられていれば、あらゆる構造を採用し得る。
【００４９】
なお、着脱部５は、磁石以外の力によって、前面部３と背面部２とを着脱可能に取り付けて良い。
【００５０】
着脱部５に磁石を用いる場合、当該磁力は、たとえば、背面部２に所定重量の物品が収容されている状況で所定の震度以上の地震が発生した際、背面部２と前面部３とが離れる程度の強さであると良いが、これに限られるものではない。
【００５１】
なお、前面部２の底部の構造は、二枚の底板３ｃ，３ｄに限られるものではない。たとえば、一枚の底板でも良いし、それ以外であっても良い。さらに、底部において、収納袋７などの物品を仮止めするための仮止め部としては、面ファスナー以外に、スナップや摩擦部材、凸部、フックなど、あらゆる構造を用いることができる。
【００５２】
なお、収納ボックス１は、外部から視認可能な部分の少なくとも一部に、蓄光処理が施されていると良い。これにより、暗闇で光って、非常用具の場所を示すことができる。
【００５３】
（第２の実施形態）
図８は、本発明の第２の実施形態に係る収納ボックス１０の斜視図である。図９は、収納ボックス１０の前面部１３を開いたときの様子を示す斜視図である。図１０は、収納ボックス１０の分解斜視図である。
【００５４】
図８に示すように、収納ボックス１０は、背面部１２と、前面部１３と、回動部１４と、着脱部１５とを備える。背面部１２は、壁面にビスや接着剤、強力磁石、吸盤、面ファスナーなどで固定される。なお、背面部１２の一部は、壁面に埋め込まれても良い（ただし、前面部１３が回動可能なように、前面部１３の奥行き幅は調整される）。前面部１３は、背面部１２の前面に設けられている。回動部１４は、背面部１２の下部で、背面部１２と前面部１３とを回動可能に取り付ける。回動部１４は、それぞれ、前面部１３の両側面に設けられた軸受け孔１４ｂと、背面部１２に取り付けられた軸１４ａとを含む。軸受け孔１４ｂの外側には、軸受け孔１４ｂを蓋するための蓋部１４ｃが設けられている。蓋部１４ｃには、軸受け孔１４ｂと連接するように、凹部（図示せず）が堀込まれている。軸受け孔１４ｂは、軸１４ａが上下にスライド可能なように、軸１４ａの外径よりも大きい孔である。なお、軸受け孔１４ａは、軸１４ｂが前後にスライド可能な大きさであっても良い。着脱部１５は、前面部１３に設けられた金属（又は磁石）１５ｂと、背面部１２に設けられた磁石（又は金属）１５ｂとを含む。これにより、着脱部５は、背面部１２の一部と前面部１３の一部とを着脱可能に接続する。前面部１３は、回動時に、角部分が人に当たって怪我するのを防止するために、角部分にクッション部１８を有する。なお、前面部１３は、上部に、取っ手部（図示せず）が設けられていても良い。
【００５５】
図９及び図１０に示すように、背面部１２は、底面部１２ａと、背面板１２ｃと、上面部１２ｂとを有し、断面コの字状である。前面部１３は、背面部１２を内側に収容可能な大きさを有している。回動可能なように、前面部１３の底板は設けられていない。前面部１３は、軸１４ｂを中心とする回動軸の近辺が欠かれた露出部１３ａを有する。露出部１３ａによって、前面部１３が回動したとき、前面部１３が背面部１２に引っ掛かることなく、鉛直下方向に回動することができる。さらに、図８に示すように、前面部１３が閉じているとき、露出部１３ａは、底面部１２ａの一側面を視認可能なように露出させる。当該露出部分には、蓄光処理部１９が設けられている。したがって、前面部１３が閉じているときにも、蓄光処理部１９によって、収納ボックス１０の位置が視認可能となり、さらに、前面部１３が回動したときにも、収納ボックス１０の位置が視認可能となる。
【００５６】
図８に示すように、背面部１２と前面部１３との間には、間隙Ｓが設けられている。すなわち、背面部１２の外寸は、前面部１３の内寸よりも小さい。さらに、磁石１５ａと金属１５ｂとは、第１の実施形態と同様に、一部分のみが接続されている。ただし、磁石１５ａと金属１５ｂとの接続面積は、適宜決定される事項であって、一部ではなく全部でも良い。もし、地震が発生すると、背面部１２と前面部１３との間に間隙Ｓが設けられているので、前面部１３は、図８に示す矢印Ｓ１や矢印Ｓ２の方向に、上下及び／又は左右に振動する。これにより、磁石１５ａと金属１５ｂとの間の接続が離れ、図９に示すように、前面部１３が自身の重さで開くこととなる。
【００５７】
図１１は、収納ボックス１０の使用例を示す図である。帯状部１７ａに取り付けられた少なくとも一つの袋部１７ｂを備える収納袋１７は、帯状部１７ａの一部に面ファスナー１７ｃを含む。袋部１７ｂには、懐中電灯や消化器、軍手、地図、貴重品など、災害時等に必要な物品が収容される。背面部１２は、上面部１２ｂや背面板１２ｃに少なくとも一つの面ファスナー１７ｄを有する。面ファスナー１７ｃが面ファスナー１７ｄに取り付けられる。収納袋１７が背面部１２に仮止めした状態で、前面部１３を回動させて、磁石１５ａと金属１５ｂとを結合して、前面部１３が背面部１２に接合される。地震が発生すると、前面部１３は、上下及び／又は左右に振動する。振動が大きくなると、着脱部１５の着脱が離れ、前面部１３が回動して開くこととなる。このとき、図１１に示すように、収納袋１７は、背面部１２に収容された状態で、視認可能となる。このように、地震が発生して咄嗟に避難しなければならない場合、自動的に、前面部１３が開いて、非常用具や貴重品などが収納されている収納袋１７が出現することとなる。収納ボックス１０を玄関や窓際などに取り付けておけば、地震発生時に、あわてることなく、収納袋１７を持ち出して避難することができる。なお、火災時など、揺れが発生しない場合、取っ手部（図示せず）を摘んで前面部１３を開ければ、図１１に示すような状態となるので、簡単に収納袋１７を持ち出すことができる。また、収納ボックス１０に消化器などを常備しておき、収納ボックス１０を台所の近くに設置しておけば、万が一のとき、消化器をすぐに取り出すことができ、初期消火の推進にもつながる。
【００５８】
なお、前面部１３は、地震時に、少なくとも一方向に振動すれば、自動的に開くこととなるので、上記実施形態の内、前面部１３と背面部１２との間の間隙Ｓか、又は、大きめの軸受け孔１４ｂのどちらかが設けられていれば良い。また、前面部１３を地震時に少なくとも一方向に振動する構造としては、その他、あらゆる構造が採用できる。
【００５９】
なお、回動部１４の構造は、上記に限られるものではなく、回動部１４は、背面部１２に前面部１３を回動可能に取り付けるのであれば、あらゆる構造を採用しても良い。また、図７に示したような軸受け孔４ｂを第２の実施形態に採用しても良い。
【００６０】
なお、第２の実施形態において、二本の軸１４ａの根本部分から二つの軸受け孔１４ｂまで、間隙Ｓが設けられていれば良く、間隙Ｓが設けられるように、二本の軸１４ａが背面部１２に取り付けられていれば、あらゆる構造を採用し得る。
【００６１】
なお、着脱部１５は、磁石以外の力によって、前面部１３と背面部１２とを着脱可能に取り付けて良い。
【００６２】
着脱部１５に磁石を用いる場合、当該磁力は、たとえば、所定の震度以上の地震が発生した際、背面部１２と前面部１３とが離れる程度の強さであると良いが、これに限られるものではない。
【００６３】
なお、第２の実施形態において、蓋部１４ｃを設けずに、第１の実施形態のように、軸１４ａの先端にフランジ部が設けられていても良い。
【００６４】
なお、第２の実施形態において、蓄光処理部１９以外の箇所（たとえば、前面部１３の前面や、背面部１２の背面板１２ｃなど）に、蓄光処理が施されていても良い。
【００６５】
なお、第２の実施形態において、前面部１３の前面に、割れない鏡面部２０を設けても良い。同様に、第１の実施形態の前面部３の前面に、割れない鏡面部２０を設けても良い。
【００６６】
（第３の実施形態）
図１２は、本発明の第３の実施形態に係る収納ボックス１０ａの前面部１３を開いたときの様子を示す斜視図である。図１２において、第２の実施形態と同様の機能を有する部分については、同一の参照符号を付し、説明を省略する。
【００６７】
収納ボックス１０ａは、着脱部として、突出部１５ｃと、突出制御部１５ｅと、孔部１５ｄとを備える。突出制御部１５ｅは、外部からの有線通信又は無線通信を介した電気信号に応じて、突出部１５ｃを、上面部１２ｂから突出させたり引っ込めたりする構造を有している。たとえば、突出制御部１５ｅは、受信部に接続されたモータを有している。モータに取り付けられた歯車が、突出部１５ｃに設けられた直線歯車と連結している。電気信号に応じて、モータが一方向又は反対方向に回転して、突出部１５ｃを突出させたり引っ込めたりすると良い。孔部１５ｄは、突出部１５ｃと対応する位置に穿孔されている。前面部１３が閉じた状態で、突出部１５ｃが突出すると、突出部１５ｃは孔部１５ｄに入る。これにより、前面部１３にロックがかかる。
【００６８】
収納ボックス１０ａの管理者は、災害時などに、有線通信又は無線通信によって、突出部１５ｃによるロックを解除する。これにより、前面部１３が自身の重さで回動して、内容物が現れる。なお、磁石によるロックは、第３の実施形態では、無くても良いし、あっても良い。また、前面部１３と背面部１２との間の間隙Ｓは、無くても良いし、あっても良い。
【００６９】
このように、前面部１３のロックを電動式で制御することによって、収納ボックス１０ａを、カラオケボックスや、病院、ホテルなど、公衆が出入りする施設に設置して、災害時に、収納ボックス１０ａに収納されている物品を用いて、避難を促すことができる。災害時以外は、ロックされているので、物品が勝手に持ち出されることが防止される。
【００７０】
なお、突出制御部１５ｅは、火災警報装置と連動して、火災警報装置が火災を検知した場合に、検知信号が有線通信又は無線通信で突出制御部１５ｅに送られて、ロックを解除するようにしても良い。
【００７１】
なお、突出制御部１５ｅは、加速度センサによって、安静時の加速度から変化があった場合に、地震が発生したと検知して、ロックを解除するようにしても良い。地震検知と有線通信又は無線通信とは組み合わされても良い。
【００７２】
なお、図１２に示すように、面ファスナー１７ｄは、上面部１２ｂの上面に設けられていても良い。
【００７３】
なお、第３の実施形態に示すロック機構は、第１の実施形態に用いられても良い。
【００７４】
その他、第１及び第２の実施形態で示したあらゆる変形が第３の実施形態に採用されても良い。
【００７５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００７６】
本発明は、突然避難しなければならない状況下でも、非常用具を咄嗟に持ち出すことができるような収納ボックスであり、産業上利用可能である。
【符号の説明】
【００７７】
１，１０，１０ａ  収納ボックス
２，１２  背面部
３，１３  前面部
１３ａ  露出部
３ａ  外蓋部
３ｂ  内蓋部
３ｃ  第１の底板
３ｄ  第２の底板
３ｅ，３ｆ  面ファスナー
４，１４  回動部
４ａ，１４ａ  軸
４ｂ，１４ｂ  軸受け孔
１４ｃ  蓋部
５，１５  着脱部
５ａ，１５ａ  磁石（又は金属）
５ｂ，１５ｂ  金属（又は磁石）
１５ｃ  突出部
１５ｄ  孔部
１５ｅ  突出制御部
６  取っ手部
７，１７  収納袋
７ａ，１７ａ  帯状部
７ｂ，１７ｂ  袋部
７ｃ，１７ｃ，１７ｄ  面ファスナー
１８  クッション部
１９  蓄光処理部
２０  鏡面部
Ｓ  間隙
【図１】
2011067566.tif 000003
【図２】
2011067566.tif 000004
【図３】
2011067566.tif 000005
【図４】
2011067566.tif 000006
【図５】
2011067566.tif 000007
【図６】
2011067566.tif 000008
【図７】
2011067566.tif 000009
【図８】
2011067566.tif 000010
【図９】
2011067566.tif 000011
【図１０】
2011067566.tif 000012
【図１１】
2011067566.tif 000013
【図１２】
2011067566.tif 000014